(57)【要約】【課題】バールを用いてこじることで短時間に錠を解錠状態にできないようにしたシャッターとする。【解決手段】シャッター枠１の下枠１１に受け部材４０を取付け、このシャッター枠１に沿って昇降するシャッターカーテン３の座板３１に座板補強材３５を取付け、座板３１をバールを用いてこじることで斜め室外側上方へ変位すると、座板補強材３５と受け部材４０が係止して斜め室外側上方への変位を規制し、錠を解錠状態とするまで座板３１を変位させるのに時間がかかるようにしたシャッターである。【選択図】      図１
2005042322.tif 000002
【特許請求の範囲】
【請求項１】
シャッター枠に沿ってシャッターカーテンを昇降してシャッター枠を開閉するシャッターにおいて、
前記シャッター枠の下枠に、前記シャッターカーテンが閉じ状態において、その座板の斜め室外側上方への変位量を規制し、かつ真直ぐ上方への変位は規制しない受け部材を取付けたことを特徴とするシャッター。
【請求項２】
座板に座板補強材を取付け、この座板補強材と受け部材が係止して座板の斜め室外側上方への変位量を規制するようにした請求項１記載のシャッター。
【発明の詳細な説明】
【０００１】
【発明の属する技術分野】
本発明は、建物開口部に取付けられるシャッターに関する。
【０００２】
【従来の技術】
特許文献１に開示されたシャッターが知られている。
このシャッターは、シャッター枠とシャッターカーテンとシャッターケースを備え、前記シャッターカーテンの最下部に設けた座板の側縁とシャッター枠のガイドレール下端に亘って錠装置が取付けられ、この錠を解錠する操作レバーが座板の長手方向に沿って設けてあり、この操作レバーを上方に回動することで前記錠を解錠するものである。
特許文献２に開示されたシャッターが知られている。
このシャッターは、シャッター枠とシャッターカーテン（シャッター本体）とシャッターケースを備え、前記シャッターカーテンの最下部に設けた座板の長手方向中間部とシャッター枠下部に亘って錠を取付け、この錠を解錠する紐を設けたものである。
【０００３】
【特許文献１】
特開平８−１０９７８０号公報
【特許文献２】
特開２００１−７３６１０号公報
【０００４】
【発明が解決しようとする課題】
特許文献１，２に開示されたシャッターは、シャッターカーテンを閉じ状態で室内側から施錠できるが、室外からバールを用いて故意にこじ開けることで錠が解錠される恐れがある。
例えば、シャッター枠の下枠と座板との間にバールを差し込み、無理にこじることで座板を簡単に上方に変位させて錠を短時間に解錠できる。つまり、座板自体は上方に変位し易く、その座板を所定量以上に上方に変位すると錠が破損等して解錠状態となる。
このように、短時間に錠が解錠されることは防犯上好ましくない。
特に、サッシ窓の室外側に雨戸として取付けたシャッターの場合には、その下枠が地面よりも高い位置であり、バールをこじる大きなスペースが存在するので、バールを用いてこじり易く、好ましくない。
【０００５】
本発明は、前述の課題に鑑みなされたものであって、その目的は、バールを用いて無理にこじることで簡単に座板が斜め室外側上方に向けて所定量以上に変位することを防止できるようにしたシャッターを提供することである。
【０００６】
【課題を解決するための手段】
第１の発明は、シャッター枠に沿ってシャッターカーテンを昇降してシャッター枠を開閉するシャッターにおいて、
前記シャッター枠の下枠に、前記シャッターカーテンが閉じ状態において、その座板の斜め室外側上方への変位量を規制し、かつ真直ぐ上方への変位は規制しない受け部材を取付けたことを特徴とするシャッターである。
【０００７】
第２の発明は、第１の発明において座板に座板補強材を取付け、この座板補強材と受け部材が係止して座板の斜め室外側上方への変位量を規制するようにしたシャッターである。
【０００８】
【作  用】
第１の発明によれば、室外から故意にバールを用いて座板をこじった場合に、その座板の斜め室外側上方に向けて簡単に変位する変位量が受け部材で規制され、それ以上は変位し難くなるから、故意にバールを用いて座板を無理にこじることで、その座板を簡単に上方に向けて所定量以上に変位することを防止できる。
よって、室外から故意にバールを用いて座板をこじって所定量以上上方に変位して錠を解錠状態とするのに時間がかかり、防犯上好ましいシャッターである。
また、受け部材は座板の真直ぐ上方への変位は規制しないので、シャッターカーテンを通常に開閉する場合に何ら影響しない。
【０００９】
第２の発明によれば、座板補強材を取付けたことで座板が補強され、その座板の斜め室外側上方への所定量以上の変位を強固に防止できる。
【００１０】
【発明の実施の形態】
図１に示すように、シャッター枠１と、このシャッター枠１の上部に設けた巻き取り繰り出し部２と、この巻き取り繰り出し部２で巻き取り、繰り出しされるシャッターカーテン３がシャッターの基本構成である。
すなわち、シャッターはシャッター枠１に沿ってシャッターカーテン３を昇降してシャッター枠１を開放、閉塞するものである。
前記シャッター枠１は、上枠１０と下枠１１と左右の縦枠１２を有し、その左右の縦枠１２はシャッターカーテン３を昇降自在にガイドするガイド部、例えばガイドレール１３を備えている。
前記巻き取り繰り出し部２は、巻取りドラム２０と、この巻取りドラム２０を収納したシャッターボックス２１を備え、そのシャッターボックス２１は上面板２２と左右の側面板２３と前面カバー２４で構成され、その前面カバー２４は開閉自在で、かつこの前面カバー２４の下部室内側部と上枠１０の室外側部との間にシャッターカーテン３が出入りする開口部２５が形成してある。
前記シャッターカーテン３は複数のスラット３０を連結し、その最下部のスラット３０に座板３１を取付けたもので、その最上部のスラット３０が巻取りドラム２０に連結される。
【００１１】
前述したシャッターにおいては、シャッターカーテン３を全閉した状態で、その座板３１と下枠１１との間に室外からバールを差し込み、無理にこじることで座板３１が斜め室外側上方に向けて簡単に変位するから、座板３１を所定量以上変位させて錠を解錠状態とするのに時間がかからず、短時間に解錠状態にでき、防犯上好ましくない。
【００１２】
前記下枠１１には受け部材４０が取付けてある。この受け部材４０は、シャッターカーテン３が閉じ状態において座板３１の斜め室外側上方への変位量を規制し、真直ぐ上方への変位は規制しないものである。つまり、座板３１が斜め室外側上方に若干変位すると座板３１が受け部材４０に係止し、それよりも上方への変位を規制する。この受け部材４０は座板３１の真直ぐ上方への変位は規制しないので、シャッターカーテン３の通常開閉時には邪魔にならず、何ら影響しない。
具体的には、受け部材４０は取付片４１と鉤片４２を備え、その取付片４１を下枠１１の室外側寄り上面にビス４３で固着して取付けられ、その鉤片４２は室内側に向かう係止片４２ａを備えている。好ましくは、下枠１１の室外側寄り下面に裏板４４を設け、この裏板４４にビス４３を螺合して固着している。
前記座板３１は、本体３２の室内側面３２ａに鉤形片３３を一体的に設けると共に、長手方向両端面に巻き込み防止ストッパ３４を取付けたもので、座板補強材３５が取付けてある。例えば、前記鉤形片３３に座板補強材３５がビス３６で固着してある。
この座板補強材３５が受け部材４０に係止するようにしてある。
例えば、前記座板補強材３５は、室外側に向かう鉤片３５ａを備え、通常状態では鉤片３５ａが受け部材４０の鉤片４２の係止片４２ａよりも室内側寄りで、座板３１は上下に移動でき、前述のように座板３１の真直ぐ上方への変位を規制しない。
そして、図２に仮想線で示すようにバールａを用いて前述のように座板３１を斜め室外側上方に若干変位すると、図２に示すように鉤片３５ａが受け部材４０の係止片４２ａに係止して座板３１がそれよりも上方に簡単に変位することを防止する。この時、錠は破損等せずに施錠状態のままである。
よって、バールを用いてこじることで座板３１を斜め室外側上方へ簡単に変位できる変位量を規制することができ、座板３１をそれ以上に斜め室外側上方に変位するのは大変で時間がかかる。
【００１３】
このようであるから、バールを用いて座板３１を無理にこじることで座板３１を、錠が破損等して解錠状態となるまで上方に変位（つまり、所定量以上に上方に変位）するには時間がかかり、防犯上好ましいシャッターである。
【００１４】
【発明の効果】
請求項１に係る発明によれば、室外から故意にバールを用いて座板をこじった場合に、その座板の斜め室外側上方に向けて簡単に変位する変位量が受け部材で規制され、それ以上は変位し難くなるから、故意にバールを用いて座板を無理にこじることで、その座板を簡単に上方に向けて所定量以上に変位することを防止できる。
よって、室外から故意にバールを用いて座板をこじって所定量以上上方に変位して錠を解錠状態とするのに時間がかかり、防犯上好ましいシャッターである。
また、受け部材は座板の真直ぐ上方への変位は規制しないので、シャッターカーテンを通常に開閉する場合には何ら影響しない。
【００１５】
請求項２に係る発明によれば、座板補強材を取付けたことで座板が補強され、その座板の斜め室外側上方への所定量以上の変位を強固に防止できる。
【図面の簡単な説明】
【図１】本発明の実施の形態を示すシャッターの縦断面図である。
【図２】座板をバールを用いてこじった状態の断面図である。
【符号の説明】
１…シャッター枠、３…シャッターカーテン、１１…下枠、３１…座板、３５…座板補強材、４０…受け部材。
【図１】
2005042322.tif 000003
【図２】
2005042322.tif 000004